(57)【要約】【課題】黒曜石パーライトの蓄熱蓄冷効果を最大限に生かした蓄熱蓄冷装置及び冷暖房装置を提供する。【解決手段】蓄熱蓄冷装置１は、貯留槽２と、外周筐体３と、黒曜石パーライト層４とを有している。黒曜石パーライトは独立気泡構造を有しており、この黒曜石パーライト同士を押し固めることによって密着させると、お互いが絡み合って一体となり、独立気泡構造を有する大きな塊となる。そのため、この蓄熱蓄冷装置１のように黒曜石パーライトを押し固めて、貯留槽２の周囲に黒曜石パーライト層４を形成すると、貯留槽２が一塊の黒曜石パーライトによって囲まれた状態となり、黒曜石パーライトの蓄熱蓄冷効果を最大限に生かし得る状態となる。したがって、この蓄熱蓄冷装置１は、貯留槽２内に温水・冷水等の熱媒体を貯留すると、その熱媒体の温度を一定のまま長期間保持できる。【選択図】  図１
2017101834.tif 000002
【特許請求の範囲】
【請求項１】
貯留槽と、
この貯留槽の全体を空間をあけて囲む外周筐体と、
前記空間に黒曜石パーライトを押し固めて充填した黒曜石パーライト層と、
を備えることを特徴とする蓄熱蓄冷装置。
【請求項２】
請求項１に記載の蓄熱蓄冷装置において、
前記黒曜石パーライト層は、
直径１０ｍｍ〜５０ｍｍの黒曜石パーライトを１０ｃｍ以上の厚みを有する層としたことを特徴とする蓄熱蓄冷装置。
【請求項３】
請求項１、２の何れかに記載の蓄熱蓄冷装置において、
前記貯留槽内に火成岩を配置したことを特徴とする蓄熱蓄冷装置。
【請求項４】
請求項１〜３の何れかに記載の蓄熱蓄冷装置において、
前記貯留槽内でナノバブルを発生させるバブル発生機を配置したことを特徴とする蓄熱蓄冷装置。
【請求項５】
請求項１〜４のいずれか１項に記載の蓄熱蓄冷装置において、
前記貯留槽内は、その内部を上下の複数の部屋に分ける仕切材を備え、
前記仕切材は、黒曜石パーライトを押し固めて充填した仕切材である
ことを特徴とする蓄熱蓄冷装置。
【請求項６】
請求項１〜５のいずれか１項に記載の蓄熱蓄冷装置において、
前記外周筐体は吸熱層を構成することを特徴とする蓄熱蓄冷装置。
【請求項７】
背面側に形成した黒曜石パーライトを押し固めた黒曜石パーライト層と、
正面側に形成した伝熱層と、
前記黒曜石パーライト層と前記伝熱層との間に形成された通過空間、又は、前記黒曜石パーライト層内に形成された通過路であって、冷房用媒体又は暖房用媒体を通過させる通過空間又は通過路と、
を備えることを特徴とする冷暖房装置。
【発明の詳細な説明】
【技術分野】
【０００１】
本発明は、黒曜石パーライトを用いた蓄熱蓄冷装置及び冷暖房装置に関する。
【背景技術】
【０００２】
黒曜石と真珠岩を原材料とするパーライトは、従来より、蓄熱蓄冷用の材料として用いられている（特許文献１）。
【先行技術文献】
【特許文献】
【０００３】
【特許文献１】特開平７−７７３９５号公報
【発明の概要】
【発明が解決しようとする課題】
【０００４】
これらのパーライトは、黒曜石や真珠岩を所定温度で熱することにより形成される。
黒曜石の場合、含まれる水分（以下、結晶水とよぶ）が少ないため、熱せられるとき、この結晶水が水蒸気となって膨張し、それぞれが独立した小部屋を形成する。以下、このような構造を独立気泡構造と呼ぶ。
【０００５】
一方、真珠岩は、結晶水が多いため、熱せられるとき小部屋が爆裂して壁が崩れ、各小部屋がつながった状態になる。以下、このような構造を連続気泡構造と呼ぶ。
このように、これらのパーライトは、構造が異なっており、黒曜石パーライトは、その独立気泡により真珠岩パーライトに比べ断熱性が優れている。
【０００６】
しかし、黒曜石パーライトは、断熱性に優れていることは知られているものの、その蓄熱蓄冷効果を最大限に生かす方法は知られていなかった。
そこで本発明は、黒曜石パーライトの蓄熱蓄冷効果を最大限に生かした蓄熱蓄冷装置及び冷暖房装置を提供することを目的とする。
【課題を解決するための手段】
【０００７】
請求項１に記載の蓄熱蓄冷装置は、
貯留槽と、
この貯留槽の全体を空間をあけて囲む外周筐体と、
前記空間に黒曜石パーライトを押し固めて充填した黒曜石パーライト層と、
を備えることを特徴とする。
【０００８】
黒曜石パーライトは、上述のように独立気泡構造を有しており、この黒曜石パーライト同士を押し固めることによって密着させると、お互いが絡み合って一体となり、独立気泡構造を有する大きな塊となる。
【０００９】
そのため、本発明のように黒曜石パーライトを押し固めて、貯留槽の周囲に黒曜石パーライト層を形成すると、貯留槽が一塊の黒曜石パーライトによって囲まれた状態となり、黒曜石パーライトの蓄熱蓄冷効果を最大限に生かし得る状態となる。
【００１０】
したがって、本発明の蓄熱蓄冷装置は、貯留槽内に熱媒体を貯留すると、その熱媒体の温度を一定のまま長期間保持できる。
この蓄熱蓄冷装置を用いると、エネルギーを長時間持続させることができるので、地球温暖化に寄与することはもちろんエネルギーを無駄なく利用できるメリットがある。
【００１１】
また、温水・冷水を長時間エネルギーロスなく使用できるとすると、家庭、温室、動植物飼育、食品加工で利用され、また、工業用温水として利用される温水・冷水の熱効率を改善することができるので、それぞれにおいてコストを削減することができる。
【００１２】
また、太陽光エネルギーを利用して温水を作り、夜間に利用することや、ゴミ処理時の排熱を利用して温水を作り、焼却炉停止中に利用することや、冬場に雪を用いて冷水を作り、夏に利用するなど、様々な利用形態が考えられる。
【００１３】
尚、押し固める圧力は、人力で押し固めることができる程度の圧力であることが好ましい。
また、黒曜石パーライトは、所定の量の黒曜石パーライトを所定の容器に入れて押し固めたとき、押し固めた後の体積が押し固める前の体積の１／２〜１／３となるように押し固めると良い。
【００１４】
このように圧力を加えると、各黒曜石パーライトの表面のみで絡み合い、所定の通気性は保ちつつも、各黒曜石パーライトの独立気泡は残る。また、押し固めた黒曜石パーライトは絡み合って一体となり、独立気泡が全体に形成された板状の構造物になる。絡み合い板状になる事で（１つ１つの個体が１つになる）より蓄熱蓄冷効果が上がる。
【００１５】
また、黒曜石パーライトは、黒曜石を高温で焼いて発砲させたものである。
また、請求項２に記載したように、黒曜石パーライト層は、直径１０ｍｍ〜５０ｍｍの黒曜石パーライトを１０ｃｍ以上の厚みを有する層とするとよい。
【００１６】
この厚みは、１５ｃｍ以上とするとよく、２０ｃｍ以上とするとさらによい。
次に、請求項３に記載の蓄熱蓄冷装置のように、貯留槽内に火成岩を配置してもよい。
このようにすると、火成岩は蓄熱性が高いため、熱媒体内に沈めておくと、蓄熱蓄冷の効果を向上することができる。
【００１７】
次に、請求項４に記載の蓄熱蓄冷装置のように、貯留槽内でナノバブルを発生させるバブル発生機を配置させてもよい。
このようにすると、蓄熱蓄冷の効果の向上が確認されたので、貯留層内に蓄熱蓄冷媒体内に入れると、蓄熱蓄冷の効果を向上することができる。
【００１８】
次に、請求項５に記載したように、貯留槽内に、その内部を上下の複数の部屋に分ける仕切材を備え、仕切材として、黒曜石パーライトを押し固めて充填した仕切材を用いてもよい。この仕切材として、例えば、パンチングメタルで形成した筐体の中に、黒曜石パーライトを押し固めて挿入したものを用いてもよい。また、接着剤を混ぜ合わせてもよい。
【００１９】
次に、請求項６に記載した蓄熱蓄冷装置のように、外周筐体の少なくとも一部が吸熱層を構成するようにしてもよい。
この場合、例えば、太陽光が外周筐体に当たると、その熱により黒曜石パーライト層が熱せられるので、貯留槽に温水を貯留した場合、温水の熱が一層放熱されにくくなる。
【００２０】
したがって、本発明の蓄熱蓄冷装置は、貯留槽内に熱媒体を貯留すると、その熱媒体の温度を一定のままより長期間保持できる。
尚、吸熱層としては、波状に形成されたステンレスを用いてもよい。
【００２１】
次に、請求項７に記載の冷暖房装置は、
背面側に形成した黒曜石パーライトを押し固めた黒曜石パーライト層と、
正面側に形成した伝熱層と、
前記黒曜石パーライト層と前記伝熱層との間に形成された通過層、又は、前記黒曜石パーライト層内に形成された通過路であって、冷房用媒体又は暖房用媒体を通過させる通過層又は通過路と、を備えることを特徴とする。
【００２２】
この冷暖房装置は、背面側に設けられた黒曜石パーライト層により、冷房用又は暖房用媒体の熱が逃げることが防止されるので、正面側に設けられた伝熱層から、冷気や暖気を効率よく外部に伝えることができる。
【００２３】
そのため、本発明の冷暖房装置を用いると、黒曜石パーライトの蓄熱蓄冷効果を最大限に生かした冷房又は暖房を行うことができる。
尚、伝熱層は、暖房用媒体から熱を受けたときに、遠赤外線を発するものが一例として考えられ、金属で構成されていても良いし、石や、鋳物、カーボンで構成されていてもよい。
【００２４】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００２５】
【図１】第１実施形態の蓄熱蓄冷装置の模式図である。
【図２】図１のＡ−Ａ’断面の断面図である。
【図３】図２の円αで囲った部分の拡大図で、太陽光を模式的に示している。
【図４】第１実施形態の蓄熱蓄冷装置の蓄熱蓄冷効果を実証するためのグラフで、時間−温度グラフである。（１）真珠岩パーライト、（２）発砲スチロール、（３）直径１ｍｍ以下の黒曜石パーライト粉、（４）直径１ｍｍ〜１０ｍｍの黒曜石パーライト、（５）火成岩と、バブル発生機とを備えていないもの、（６）火成岩を有していないもの、（７）火成岩もバブル発生機２２も備えているものである。（８）は外気温である。
【図５】第１実施形態の蓄熱蓄冷装置を用いた応用例を示す模式図であり、（ａ）は全体図、（ｂ）は暖房機、（ｃ）は温水流路を示している。
【図６】第２実施形態の蓄熱蓄冷装置の説明図で、（ａ）は斜視図、（ｂ）は（ａ）のＡ−Ａ’断面図である。
【図７】第２実施形態の変形例である蓄熱蓄冷装置の説明図で、（ａ）は図５（ｂ）と同様の断面図、（ｂ）は伝熱層７を取り外し、かつ、黒曜石パーライト層６の筐体６０内から黒曜石パーライトを取り出して、パイプ９が露出した様子を示す模式図である。
【発明を実施するための形態】
【００２６】
以下に本発明の実施形態を図面と共に説明する。
（第１実施形態）
第１実施形態は、蓄熱蓄冷装置１の実施形態である。以下、第１実施形態の説明中では、第１実施形態の蓄熱蓄冷装置１を単に本実施形態の蓄熱蓄冷装置１と呼ぶ。
【００２７】
本実施形態の蓄熱蓄冷装置１は、図１に示すように、貯留槽２と、この貯留槽２の全体を空間をあけて囲む外周筐体３と、貯留槽２と外周筐体３との間に黒曜石パーライトを押し固めて充填した黒曜石パーライト層４とを有している。
【００２８】
このうち貯留槽２は、１００Ｌのポリタンク（ポリエチレン製のタンク）である。
外周筐体３は、図２に示すように、底面を除く各面が波状に形成されたステンレスによって形成され、吸熱層を形成している。この外周筐体３は、図３に示すように、屋外に設置した場合、太陽光を段階的に反射させることによって、吸熱を行う。
【００２９】
黒曜石パーライト層４は、直径１０ｍｍ〜５０ｍｍの黒曜石パーライトを手作業によって押し固めた１５ｃｍの厚みを有する層である。
貯留槽２内には、図１に示すように、火成岩２０が配置されるとともに、ナノバブル（直径が１μｍ以下の気泡）を発生させるバブル発生機２２が設置されている。本実施形態では、貯留槽２に温水や冷水が溜められたときに、このバブル発生機２２を動作させ、温水又は冷水中にナノバブルを放出している。
【００３０】
また、貯留槽２内には、その内部を上下の複数の部屋に分ける２つの仕切材２４を備えている。この仕切材２４は、パンチングメタルで形成した立方体形状の筐体の中に、黒曜石パーライトを押し固めて挿入したものである。この仕切材２４で用いられる黒曜石パーライトは、黒曜石パーライト層４で用いられる黒曜石パーライトと同様のものである。
【００３１】
本実施形態では、この仕切材２４を２つ設け、貯留槽２内の空間を上中下の３つの空間２ａ〜２ｃに仕切っており、最上部の空間２ａを空気層と呼び、下部の２つの空間２ｂ、２ｃを貯水層と呼んでいる。
【００３２】
また、本実施形態の蓄熱蓄冷装置１は、この蓄熱蓄冷装置１の天井部をなす貯留槽２、黒曜石パーライト層４、外周筐体３を外部から貫いて、各パイプの端部が貯留槽２内に位置するように、４本のパイプが設置されている。
【００３３】
このうち第１パイプ１ａは最下部の貯水層２ｃに、第２パイプ１ｂは最上部の空気層２ａに、第３パイプ１ｃは中央の貯水層２ｂに、第４パイプ１ｄは最下部の貯水層２ｃに、それぞれの端部が位置するよう設置されている。
【００３４】
このうち、第２パイプ１ｂ及び第３パイプ１ｃは、蓄熱蓄冷装置１の外部に温度膨張弁１ｅ，１ｆを備えている。
また、本実施形態の蓄熱蓄冷装置１は、その側面部を貫き、最下部の貯水層２ｃに対して一方の端部が開口し、他方の端部が外部で開口するように設置された水抜パイプ１ｇを備えている。
【００３５】
次に、この蓄熱蓄冷装置１に温水または冷水を貯留する方法、または、この蓄熱蓄冷装置１に溜めた温水または冷水を利用する方法について説明する。
本実施形態の蓄熱蓄冷装置１では、温水を貯留する場合、第１パイプ１ａを介して給水される。貯留槽２内に給水された温水は、最初に貯水層２ｃに溜まり、この貯水層２ｃが一杯になると、下方の仕切材２４内にしみだし、貯水層２ｂ内に溜まる。
【００３６】
また、温水が蒸発した蒸気は、上方の仕切材２４も通過し、空気層２ａに至り、空気層２ａ内の空気を暖める。
この蓄熱蓄冷装置１に貯留された温水を利用する場合、最初に、第３パイプ１ｃを介して貯水層２ｂから外部に取り出す。
【００３７】
また、空気層２ａに溜まった暖かい空気を利用する場合、第２パイプ１ｂを介して外部に取り出す。
本実施形態の蓄熱蓄冷装置１では、冷水を貯留する場合、第１パイプ１ａを介して給水される。貯留槽２内に給水された冷水は、最初に貯水層２ｃに溜まり、この貯水層２ｃが一杯になると、下方の仕切材２４内にしみだし、貯水層２ｂ内に溜まる。
【００３８】
また、冷水によって冷やされた空気は、上方の仕切材２４も通過し、空気層２ａに至り、空気層２ａ内の空気を冷やす。
この蓄熱蓄冷装置１に貯留された冷水を利用する場合、最初に、第４パイプ１ｄを介して貯水層２ｂから外部に取り出す。
【００３９】
また、空気層２ａに溜まった冷たい空気を利用する場合、第２パイプ１ｂを介して外部に取り出す。
次に、本実施形態の蓄熱蓄冷装置１が有する蓄熱蓄冷効果について検証したので、以下説明する。
【００４０】
この実験は屋外で行い、図４に示すように、実験開始日の午前８時３０分から２時間おきに２日間、外気の温度と実験対象内の温度とを測定した。
実験対象は、（１）真珠岩パーライト（直径は上記実施形態の黒曜石パーライトに同じ）で１００Ｌのポリタンクの周囲を囲ったもの、（２）発砲スチロールで形成された箱である。
【００４１】
（３）以下は、上記実施形態の蓄熱蓄冷装置１に相当するものであるが、（３）は、直径１ｍｍ以下の黒曜石パーライト粉で黒曜石パーライト層を構成したもの、（４）は直径１ｍｍ〜１０ｍｍの黒曜石パーライトで黒曜石パーライト層を構成したものである。
【００４２】
（５）〜（７）は直径１０ｍｍ〜５０ｍｍの黒曜石パーライトで黒曜石パーライト層４を構成したものであって、（５）は火成岩２０と、バブル発生機２２とを備えておらず、（６）は火成岩２０を有しておらず、（７）は火成岩２０もバブル発生機２２も備えているものである。
【００４３】
尚、（８）は外気温である。
また、それぞれの実験対象には６５℃の温水１００Ｌを給水した。
（１）及び（２）は、実験終了までの５４時間の間に、貯留していた温水の温度が約２０℃まで下がった。
【００４４】
また、実験終了までの５４時間の間に（３）〜（７）に貯留していた温水の温度も下がったが、（３）が最も温度が低く、以下（４）（５）（６）（７）の順に温度が高くなる傾向を示した。
【００４５】
上記実施形態と同じ構造の蓄熱蓄冷装置１は、５４時間後でも、約５７．８度の温度を保っていた。
以上説明した蓄熱蓄冷装置１は以下のような特徴的な作用効果を奏する。
【００４６】
黒曜石パーライトは独立気泡構造を有しており、この黒曜石パーライト同士を押し固めることによって密着させると、お互いが絡み合って一体となり、独立気泡構造を有する大きな塊となる。
【００４７】
そのため、本実施形態の蓄熱蓄冷装置１のように黒曜石パーライトを押し固めて、貯留槽２の周囲に黒曜石パーライト層４を形成すると、貯留槽２が一塊の黒曜石パーライトによって囲まれた状態となり、黒曜石パーライトの蓄熱蓄冷効果を最大限に生かし得る状態となる。
【００４８】
したがって、本実施形態の蓄熱蓄冷装置１は、貯留槽２内に温水・冷水等の熱媒体を貯留すると、その熱媒体の温度を一定のまま長期間保持できる。
尚、黒曜石パーライトを押し固める圧力は、人力で押し固めることができる程度の圧力であればよい。
【００４９】
また、上記実験で証明されたように、貯留槽２内に火成岩２０を配置しており、火成岩は蓄熱性が高いため、温水等の熱媒体内に沈めておくと、蓄熱蓄冷の効果を向上することができる。
【００５０】
さらに、上記実験で証明されたように、貯留槽２内でナノバブルを発生させると、蓄熱蓄冷の効果を向上させることができる。
次に、本実施形態の蓄熱蓄冷装置１のように、外周筐体３が吸熱層を構成し、太陽光が外周筐体に当たると、その熱により黒曜石パーライト層４が熱せられるので、貯留槽２に温水を貯留した場合、温水の熱が一層放熱されにくくなる。
【００５１】
したがって、本実施形態の蓄熱蓄冷装置１は、貯留槽２内に温水等の熱媒体を貯留すると、その熱媒体の温度を一定のままより長期間保持できる。
上述した蓄熱蓄冷装置１の応用例について説明する。
【００５２】
この応用例は、図５（ａ）に示すように、炭化炉から得た温水を蓄熱蓄冷装置１に貯留し、この蓄熱蓄冷装置１に貯留された温水を、必要なときに、暖房器９ａ、９ｂに供給して、暖房を行おうとするものである。
【００５３】
暖房機９ａ、９ｂは、図５（ｂ）に示すように、半球状に形成された貯留体９ｃの中に、黒曜石パーライト９ｄを詰め、球面の内側には温められると遠赤外線を発する金属９ｅが配置されたものである。これら暖房器９ｂ、９ｃは、半球の向きが上下逆になっている点、及び、大きさに違いがある点が異なるが、その他の構成は略同一である。暖房機９ａは天井側に設置し、暖房機９ｃは床面に設置する。尚、暖房機９ａの下方に伸びている３本の長尺物は脚である。
【００５４】
この貯留体９ｃの中には、図５（ｃ）に示すように、渦巻き状にパイプ９ｆが配置され、半球の先端に向かうほど渦の大きさが小さくなっている。
蓄熱蓄冷装置１から送られてきた温水は、半球の底部側から頂部側に向かって渦巻き状に流れ、頂部に到達すると半球体から出る。
【００５５】
このようにすると、遠赤外線を発生する金属９ｅが温められ、遠赤外線が出る。
尚、お湯を回すのは、蓄熱蓄冷装置１へ速く戻す為である。流れのスピードを速くすると、熱交換が起こりにくくなるからである。
（第２実施形態）
第２実施形態は、冷暖房装置５の実施形態である。以下、第２実施形態の説明中では、第２実施形態の冷暖房装置５を単に本実施形態の冷暖房装置５と呼ぶ。
【００５６】
本実施形態の冷暖房装置５は、図６に示すように、背面側に形成した黒曜石パーライトを押し固めた黒曜石パーライト層６と、正面側に形成した伝熱層７と、黒曜石パーライト層６と伝熱層７との間に形成された通過空間８であって、冷房用媒体又は暖房用媒体を通過させる通過空間８とを有する。
【００５７】
黒曜石パーライト層６は、第１実施形態の蓄熱蓄冷装置１と同様、直径１０ｍｍ〜５０ｍｍの黒曜石パーライトを手作業によって押し固めた１５ｃｍの厚みを有する層であり、全体で直方体形状に形成されているものである。
【００５８】
伝熱層７は、正方形状に形成された板材で、カーボンで形成されている。尚、この伝熱層７は、温水により遠赤外線を発するものであれば、石板で構成してもよく、また、セラミックなどで構成してもよく、材料は特に限定されるものではない。
【００５９】
通過空間８には、図６（ａ）に示すように、黒曜石パーライト層６を背面側から貫いた一対のパイプ８０、８１が連通している。このうちパイプ８０は、黒曜石パーライト層６の背面側であって、この黒曜石パーライト層６の２つの上隅のうち一方の上隅７０の近傍から黒曜石パーライト層６を貫いている。また、パイプ８１は、黒曜石パーライト層６の背面側であって、この黒曜石パーライト層６の２つの下隅２１うち、対応する上隅２０側とは反対側の下隅７１の近傍から黒曜石パーライト層６を貫いている。
【００６０】
冷房用媒体又は暖房用媒体は、パイプ８０から供給され、通過空間８を通過した後、パイプ８１を介して排出される。
この冷暖房装置５は、背面側に設けられた黒曜石パーライト層６により、冷房用又は暖房用媒体の熱が逃げることが防止されるので、正面側に設けられた伝熱層から、冷気や暖気を効率よく外部に伝えることができる。
【００６１】
そのため、本実施形態の冷暖房装置５を用いると、黒曜石パーライトの蓄熱蓄冷効果を最大限に生かした冷房又は暖房を行うことができる。
［他の実施形態］
以上、実施形態について説明したが、特許請求の範囲に記載された発明は、上記実施形態に限定されることなく、種々の形態を採り得ることは言うまでもない。
【００６２】
（１）上記第１実施形態で説明した蓄熱蓄冷装置１、及び、第２実施形態で説明した冷暖房装置５はあくまでも一例であり、これに限定されるものではない。
（２）上記第１実施形態では、黒曜石パーライト層４の厚みを１５ｍｍとしたが、厚みが１０ｍｍ以上であれば、どのような厚みとしてもよい。
【００６３】
（３）上記第２実施形態では、黒曜石パーライト層６と伝熱層７との間に通過空間８が形成された例について説明したが、図７に示すように、通過空間８に代えて、黒曜石パーライト層６内を蛇行しながら冷房用媒体又は暖房用媒体を通す通過路を形成するパイプ９を設置してもよい。この場合、パイプ９は、伝熱層７に近い位置に配置されるとよい。また、黒曜石パーライト層６は、伝熱層７が取り付けられる側が開口した直方体形状の筐体６０内に投入されて押し固められ、全体で直方体形状に形成されている。伝熱層７は筐体６０の開口を閉じる蓋の役割もしている。
【００６４】
パイプ９が蛇行しているのは、伝熱層７の全体に均一に熱が伝わるようにするためである。尚、伝熱層７の全体に均一に熱が伝わるようにするため、パイプ９として多数に分岐したものを用いてもよい。
【００６５】
（４）上記実施形態の蓄熱蓄冷装置１では、貯水槽２ｂ内に仕切材２４を設置したが、これらをはずし、黒曜石パーライトを四角状に押し固めてまとめた集合体をステンレス製のワイヤで貯水槽２ｂ内にぶら下げてもよい。
【００６６】
この集合体を貯水槽２ｂ内に設置すると、黒曜石パーライトが有する各独立気泡が暖められ、又は冷やされ、温度が下がりにくい又は直ぐには上がりにくいからである。
（５）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００６７】
（第１実施形態）
１… 蓄熱蓄冷装置  ２… 貯留槽  ２ａ… 空気層  ２ｂ… 貯水層  ２ｃ… 貯水層
３… 外周筐体  ４… 黒曜石パーライト層  ２０… 火成岩  ２２… バブル発生機
２４… 仕切材  １ａ… 第１パイプ  １ｂ… 第２パイプ  １ｃ… 第３パイプ
１ｄ… 第４パイプ  １ｅ、１ｆ… 温度膨張弁  １ｇ… 水抜パイプ
（第２実施形態）
５… 冷暖房装置  ６… 黒曜石パーライト層  ７… 伝熱層  ８… 通過空間
９… パイプ  ６０… 筐体  ７０… 上隅  ７１… 下隅  ８０… パイプ
８１… パイプ
【図１】
2017101834.tif 000003
【図２】
2017101834.tif 000004
【図３】
2017101834.tif 000005
【図４】
2017101834.tif 000006
【図５】
2017101834.tif 000007
【図６】
2017101834.tif 000008
【図７】
2017101834.tif 000009